(57)【要約】      （修正有）【課題】録画された放送番組の再生を良好に行うことのできる情報処理装置を提供する。【解決手段】情報処理装置は、放送番組を録画する録画部と、録画された放送番組の特徴量をもとに１以上のチャプター点を生成するチャプター生成部と、放送番組の視聴により人為的に作成され、放送番組を区切る区間毎の開始時間および終了時間の情報を含む、当該放送番組に関するメタデータを後メタデータとして取得する後メタデータ取得部と、録画された放送番組において再生させたい区間が指定されたとき、取得した後メタデータにより与えられる当該区間の開始時間および終了時間に対してそれぞれ異なる２つのチャプター点を割り当て、これら２つのチャプター点の間を前記指定された区間の再生範囲として設定する設定部とを具備する。【選択図】図２
2014078854.tif 000002
【特許請求の範囲】
【請求項１】
番組を記録する記録部と、
前記記録された番組の特徴量をもとに１以上のチャプター点を生成するチャプター生成部と、
前記番組を区切る区間毎の開始時間および終了時間の情報を含む、当該番組に関するメタデータを取得するメタデータ取得部と、
前記記録された番組において再生させたい区間が指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する設定部と
を具備する情報処理装置。
【請求項２】
請求項１に記載の情報処理装置であって、
前記設定部は、
前記指定された区間の開始時間から前後にそれぞれ予め決められた第１の時間ずつ拡張した範囲で最も近い第１のチャプター点を前記再生範囲の開始時間として設定し、前記指定された区間の終了時間から前後にそれぞれ予め決められた第２の時間ずつ拡張した範囲で最も近い第２のチャプター点を前記再生範囲の終了時間として設定する
情報処理装置。
【請求項３】
請求項２に記載の情報処理装置であって、
前記指定された区間の開始時間から前の前記第１の時間が後の前記第１の時間よりも長く、前記指定された区間の終了時間から前の前記第２の時間が後の前記第２の時間よりも短い
情報処理装置。
【請求項４】
請求項３に記載の情報処理装置であって、
前記設定部は、
前記指定された区間の開始時間から前後にそれぞれ予め決められた第１の時間ずつ拡張した範囲に前記第１のチャプター点が存在しない場合、前記区間の開始時間から前後にそれぞれ予め決められた第３の時間ずつ拡張した範囲で特徴量の値が最大の点を前記再生範囲の開始時間として設定し、前記指定された区間の終了時間から前後にそれぞれ予め決められた第２の時間ずつ拡張した範囲に前記第２のチャプター点が存在しない場合、前記区間の終了時間から前後にそれぞれ予め決められた第４の時間ずつ拡張した範囲で特徴量の値が最大の点を前記再生範囲の終了時間として設定する
情報処理装置。
【請求項５】
請求項４に記載の情報処理装置であって、
前記指定された区間の開始時間から前の前記第３の時間が後の前記第３の時間よりも長く、前記指定された区間の終了時間から前の前記第４の時間が後の前記第４の時間よりも短い
情報処理装置。
【請求項６】
請求項５に記載の情報処理装置であって、
前記チャプター生成部は、少なくとも、前記番組に連続して複数の挿入されるコマーシャルを１つのＣＭ区間として、このＣＭ区間の開始点と終了点にそれぞれ前記チャプター点を生成する
情報処理装置。
【請求項７】
請求項６に記載の情報処理装置であって、
前記取得したメタデータをもとに、前記記録された番組において再生させたい区間をユーザに選択させるための選択画面を生成する区間選択画面生成部
をさらに具備する情報処理装置
【請求項８】
チャプター生成部が、番組の特徴量をもとに１以上のチャプター点を生成し、
メタデータ取得部が、前記番組を区切る区間毎の開始時間および終了時間の情報を含む、当該番組に関するメタデータを取得し、
設定部が、情報処理装置に録画された前記番組において再生させたい区間がユーザに指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する
情報処理方法。
【請求項９】
番組の特徴量をもとに１以上のチャプター点を生成するチャプター生成部と、
前記番組を区切る区間毎の開始時間および終了時間の情報を含む、当該番組に関するメタデータを取得するメタデータ取得部と、
前記情報処理装置に録画された前記番組において再生させたい区間が指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する設定部
としてコンピュータを機能させるプログラム。
【発明の詳細な説明】
【技術分野】
【０００１】
本技術は、放送番組の録画および再生を行うことのできる情報処理装置、情報処理方法およびプログラムに関する。
【背景技術】
【０００２】
近年、ユーザからの再生指示を番組のシーン単位で受け付けて、再生することのできる録画装置が存在する。番組のシーン単位の検索を可能とするために、録画装置は、録画された番組のシーン変化点に予めインデックスを付けるなどの処理を行う必要がある。番組のシーン変化点を検出するための代表的な方法としては、映像、音声の特徴量を算出して、特徴量が閾値を超えた点をシーン変化点としてする方法などがある。
【０００３】
特許文献１には、パーソナルコンピュータがネットワークを通じて取得した番組データを対象に、シーン単位毎に例えば人手により作成されたイベント情報を、保存された実際の番組データの時間軸にマッピングするための技術が開示されている。この特許文献１に係る技術では、イベント情報に示される複数のシーン変化点それぞれの時間と、番組データの映像および音声の特徴量をもとに検出された複数のシーン変化点それぞれの時間とが一対一に比較され、時間が一致した回数がカウントされる。この比較は、特徴量をもとに検出された複数のシーン変化点の時間のセットにおいて、イベント情報に示されるシーン変化点の時間と比較される先頭の時間を一つずつずらして繰り返される。この繰り返しを経て、最もカウント値が高い比較の組み合わせが、シーン変化点間の間隔が最も一致した組み合わせ、つまり同期がとれた組み合わせとして判断される。
【先行技術文献】
【特許文献】
【０００４】
【特許文献１】特開２００３−２７４３５３号公報
【発明の概要】
【発明が解決しようとする課題】
【０００５】
近年、放送番組に付随して配信される標準の番組情報（ＳＩ：Service Information）とは別に、その放送番組に関するより詳細な情報を人為的に作成し、視聴者の機器に配信するサービスが開始された。このように放送番組に関するより詳細な情報は「後メタデータ」と呼ばれる。後メタデータは、放送番組をスタッフが視聴することによって人為的に作成される。後メタデータは、番組を構成する、例えば、ＣＭ、本編、さらには本編内のシーン、コーナなどの時間的な区間毎の、開始時間、終了時間、分野、登場人物、概要などの詳細データで構成される。
【０００６】
しかし、後メタデータは、人手により作成されるデータであるため、例えば、区間毎の、開始時間、終了時間などの情報の精度が不十分である。このため、例えば、録画装置に録画された放送番組を区間の単位で再生する場合などに後メタデータを利用することを想定した場合に、解決しなければならない課題が残されていた。
【０００７】
そこで、本技術の目的は、録画された番組の再生を良好に行うことのできる情報処理装置、情報処理方法およびプログラムを提供することにある。
【課題を解決するための手段】
【０００８】
上記の課題を解決するために、本技術に係る情報処理装置は、番組を記録する記録部と、前記記録された番組の特徴量をもとに１以上のチャプター点を生成するチャプター生成部と、前記番組を区切る区間毎の開始時間および終了時間の情報を含む、当該番組に関するメタデータを取得するメタデータ取得部と、前記記録された番組において再生させたい区間が指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する設定部とを具備する。
【０００９】
前記設定部は、前記指定された区間の開始時間から前後にそれぞれ予め決められた第１の時間ずつ拡張した範囲で最も近い第１のチャプター点を前記再生範囲の開始時間として設定し、前記指定された区間の終了時間から前後にそれぞれ予め決められた第２の時間ずつ拡張した範囲で最も近い第２のチャプター点を前記再生範囲の終了時間として設定するものであってよい。
【００１０】
前記設定部は、前記指定された区間の開始時間から前後にそれぞれ予め決められた第１の時間ずつ拡張した範囲に前記第１のチャプター点が存在しない場合、前記区間の開始時間から前後にそれぞれ予め決められた第３の時間ずつ拡張した範囲で特徴量の値が最大の点を前記再生範囲の開始時間として設定し、前記指定された区間の終了時間から前後にそれぞれ予め決められた第２の時間ずつ拡張した範囲に前記第２のチャプター点が存在しない場合、前記区間の終了時間から前後にそれぞれ予め決められた第４の時間ずつ拡張した範囲で特徴量の値が最大の点を前記再生範囲の終了時間として設定するものであってよい。
【００１１】
本技術に係る情報処理装置において、前記指定された区間の開始時間から前の前記第１の時間が後の前記第１の時間よりも長く、前記指定された区間の終了時間から前の前記第２の時間が後の前記第２の時間よりも短いことが望ましい。
【００１２】
本技術に係る情報処理装置において、前記指定された区間の開始時間から前の前記第３の時間が後の前記第３の時間よりも長く、前記指定された区間の終了時間から前の前記第４の時間が後の前記第４の時間よりも短いことが望ましい。
【００１３】
前記チャプター生成部は、少なくとも、前記番組に連続して複数の挿入されるコマーシャルを１つのＣＭ区間として、このＣＭ区間の開始点と終了点にそれぞれ前記チャプター点を生成するものであってよい。
【００１４】
本技術に係る情報処理装置は、前記取得したメタデータをもとに、前記記録された番組において再生させたい区間をユーザに選択させるための選択画面を生成する区間選択画面生成部をさらに具備するものであってよい。
【００１５】
本技術に係る別の観点に基づく情報処理方法は、チャプター生成部が、番組の特徴量をもとに１以上のチャプター点を生成し、メタデータ取得部が、前記番組を区切る区間毎の開始時間および終了時間の情報を含む、当該番組に関するメタデータを取得し、設定部が、情報処理装置に記録された前記番組において再生させたい区間がユーザに指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する。
【００１６】
本技術に係る別の観点に基づくプログラムは、番組の特徴量をもとに１以上のチャプター点を生成するチャプター生成部と、前記番組を区切る区間毎の開始時間および終了時間の情報を含む、当該番組に関するメタデータを取得するメタデータ取得部と、前記情報処理装置に記録された前記おいて再生させたい区間が指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する設定部としてコンピュータを機能させるものである。
【発明の効果】
【００１７】
以上のように、本技術によれば、録画された番組の再生を良好に行うことができる。
【図面の簡単な説明】
【００１８】
【図１】本技術に係る第１の実施形態のシステムの構成を示す図である。
【図２】図１の録画装置の機能的な構成を示すブロック図である。
【図３】番組の区間毎の後メタデータの構成を示す図である。
【図４】再生区間選択画面の例を示す図である。
【図５】再生位置設定部のアルゴリズムを示すフローチャートである。
【図６】区間開始時間に対するチャプター点の探索範囲を示す図である。
【図７】区間終了時間に対するチャプター点の探索範囲を示す図である。
【図８】後メタデータにより与えられる区間名および区間開始時間、チャプター点、および再生開始時間の関係を示す図である。
【図９】後メタデータにより与えられる各区間の区間開始時間、特徴量、およびチャプター点の時間軸上での関係を示す図である。
【図１０】選択された区間に対する再生範囲の設定の例を示す図である。
【図１１】変形例の後メタデータによる各区間の区間情報、店舗情報、商品情報およびＣＭ情報の時間軸上での相関の例を示す図である。
【図１２】変形例に係る放送番組の本編区間の後メタデータの構成を示す図である。
【図１３】変形例に係る放送番組のＣＭ区間の後メタデータの構成を示す図である。
【発明を実施するための形態】
【００１９】
以下、本技術に係る実施形態を、図面を参照しながら説明する。
＜第１の実施形態＞
図１は、本技術に係る第１の実施形態のシステムの構成を示す図である。
このシステム１は、番組を放送する放送局１００、放送された番組（放送番組）を録画する録画装置２００、放送番組の後メタデータを制作する後メタデータ制作会社３００、後メタデータをインターネットなどのネットワーク１１を通じて配信する後メタデータ配信サーバ４００などを含む。
【００２０】
後メタデータ制作会社３００は、放送番組の後メタデータを人手により作成し、後メタデータ配信サーバ４００に供給する。
【００２１】
後メタデータ配信サーバ４００は、後メタデータ制作会社３００にて制作された放送番組の後メタデータを管理し、録画装置２００からのリクエストに対して後メタデータを配信するサービスを行うサーバである。
【００２２】
録画装置２００は、放送番組を受信し、録画したり、再生したりすることのできる機器である。なお、録画装置２００は、録画専用機、録画再生機、テレビジョン受像機１５に内蔵された録画再生モジュールであってもよい。あるいは、パーソナルコンピュータや、電話機能とともに録画機能を有する携帯端末であってもよい。すなわち、これらの機器は情報処理装置と総称される。
【００２３】
図２は録画装置２００の機能的な構成を示すブロック図である。
録画装置２００は、ＣＰＵ２０１、ＲＯＭ２０３、リモコン受信部２０５、ネットワーク接続部２０７、チューナ部２０９、Ｄｅｍｕｘ部２１１、デコーダ２１３、エンコーダ２１５、ＨＤＤ２１７、光ディスクドライブ２２１、出力処理部２２３、セクションデータ解析部２２５、特徴量生成部２２７、チャプター生成部２２９、データベース２３１、区間選択画面生成部２３３、および再生位置設定部２３５を有する。
【００２４】
ＣＰＵ（Central Processing Unit）２０１は、録画装置２００の全体の制御および情報の処理などを行う。
ＲＯＭ（Read Only Memory ２０３は、ＣＰＵ２０１に実行させるプログラムや各種のデータが格納された記憶装置である。
【００２５】
リモコン受信部２０５は、録画装置２００を操作するリモートコントローラ１３からのリモート信号を受信し、ＣＰＵ２０１が解釈可能なコードデータを生成してＣＰＵ２０１に供給する。
【００２６】
ネットワーク接続部２０７は、インターネットなどのネットワーク１１と接続するためのインタフェースである。ＣＰＵ２０１は、ネットワーク接続部２０７を用いて後メタデータ配信サーバ４００に接続し、後メタデータ配信サーバ４００から後メタデータを取得する。すなわち、ネットワーク接続部２０７とＣＰＵ２０１はメタデータ取得部として機能する。
【００２７】
チューナ部２０９は放送番組を選局する。すなわち、チューナ部２０９は、例えば、地上デジタル放送、ＢＳデジタル放送、ＣＳデジタル放送などの放送波の中から選択された搬送波周波数の放送信号を選択し、復調して、放送トランスポートストリームを生成してＤｅｍｕｘ部２１１に供給する。
【００２８】
Ｄｅｍｕｘ部２１１は、放送トランスポートストリームに多重化されたビデオストリーム、オーディオストリーム、セクションデータ（例えばＰＳＩ／ＳＩ：Program Specific Information / Service Informationなど）のパケットを、それぞれのパケットのヘッダ部に記述されているパケット識別子（ＰＩＤ：Packet Identifier）をもとに分離する。Ｄｅｍｕｘ部２１１により分離されたビデオストリームおよびオーディオストリームはデコーダ２１３に供給され、セクションデータはセクションデータ解析部２２５に供給される。
【００２９】
デコーダ２１３は、ビデオストリームおよびオーディオストリームをデコードする。デコードされたビデオデータおよびオーディオデータは出力処理部２２３、エンコーダ２１５および特徴量生成部２２７に供給される。
【００３０】
エンコーダ２１５は、デコードされたビデオデータ、オーディオデータを圧縮したビデオデータ、オーディオデータに変換して、パケット化してパーシャルトランスポートストリームを生成する。
【００３１】
ＨＤＤ（Hard disk drive）２１７はパーシャルトランスポートストリームの保存と読み出しが行われるストレージ（記録部に相当）である。
【００３２】
光ディスクドライブ２２１は、ＤＶＤ（Digital Versatile Disc）、ブルーレイ（登録商標）などの着脱自在な光ディスクに録画データを記録するためのドライブである。
【００３３】
出力処理部２２３は、デコーダ２１３によりデコードされたビデオデータおよびオーディオデータなどから、テレビジョン受像機１５にて処理可能な信号を生成して、例えばＨＤＭＩ（High-Definition Multimedia Interface）などのデジタルインタフェース２３７を通じてテレビジョン受像機１５に出力する。
【００３４】
セクションデータ解析部２２５、特徴量生成部２２７、チャプター生成部２２９、データベース２３１、区間選択画面生成部２３３および再生位置設定部２３５は、ＲＯＭ２０３に格納されたプログラムをＣＰＵ２０１が図示しないメインメモリ上で実行することによって実現される。
【００３５】
セクションデータ解析部２２５は、セクションデータを解析して、番組名、内容、出演者、ジャンル情報など、放送番組に関するデータを抽出してデータベース２３１に格納する。
【００３６】
特徴量生成部２２７は、デコードされたビデオデータおよびオーディオデータを解析して、放送番組の本編におけるシーンやコーナなどの変化点、コマーシャル（以下「ＣＭ」と呼ぶ。）の開始点および終了点などをチャプター点として検出するために必要な特徴量を生成し、放送番組上の時間情報と対応付けてデータベース２３１に格納する。例えば、ビデオデータの特徴量はフレーム間の差分などをもとに生成される。オーディオデータの特徴量は音量レベル、その変化量、無音点などをもとに生成される。
【００３７】
チャプター生成部２２９は、データベース２３１に格納された特徴量をもとに、放送番組の本編におけるシーンやコーナなどの変化点、ＣＭの開始点および終了点などをチャプター点として生成してデータベース２３１に格納する。チャプター点を生成する具体的な方法については後で説明する。
【００３８】
データベース２３１は、セクションデータ解析部２２５により生成されたセクションデータ、特徴量生成部２２７により生成された特徴量と放送番組上の時間情報とのペア、チャプター生成部２２９により生成されたすべてのチャプター点などを保存する。また、データベース２３１には、後メタデータ配信サーバ４００より取得された後メタデータも保存される。
【００３９】
区間選択画面生成部２３３は、データベース２３１に保存された後メタデータをもとに、録画された放送番組において再生させたい区間をユーザに選択させるための再生区間選択画面を生成する。
【００４０】
再生位置設定部２３５（設定部）は、データベース２３１に保存された後メタデータにより与えられる区間の区間開始時間および区間終了時間にそれぞれ異なる２つのチャプター点を割り当て、これら２つのチャプター点の間を、ユーザにより選択された区間の再生範囲として設定する。
【００４１】
［後メタデータについて］
後メタデータは、前述したように、後メタデータ制作会社３００のスタッフが放送番組を実際に視聴することによって人為的に作成されるメタデータである。
【００４２】
図３は放送番組の区間毎の後メタデータの構成を示す図である。
放送番組は、ＣＭ、本編、さらには本編内のシーンやコーナなど、いくつかの部分に区切ることができる。放送番組の区間毎の後メタデータは、放送番組を実際にスタッフが視聴することによって、その放送番組の区切りを生成し、その区切りによってできる各々の区間に対して、例えば、区間ＩＤ、区間開始時間、区間終了時間、分類、詳細などを人手で生成することによって作成される。ここで、区間ＩＤは、放送番組中でそれぞれの区間を識別するための情報である。区間開始時間は、区間の開始時間である。区間終了時間は、区間の終了時間である。区間開始時間および区間終了時間は分と秒で表される。分類はＣＭ、オープニング、エンディング、本編などである。詳細は、人名、コーナ名、商品名、発言内容、状況、場所情報など、区間毎の詳細な情報である。
【００４３】
なお、放送番組の区間毎の後メタデータは、番組名、放送局、放送日、番組開始時間、番組終了時間、番組ＩＤなどの番組メタデータを含めたかたちで提供されてもよい。あるいは番組メタデータと番組ＩＤを用いて紐付けられたものであってもよい。ここで、番組ＩＤとしては、ＳＩにおいて放送番組を識別するために与えられた番組ＩＤをそのまま採用することで、ＳＩに記述される放送番組に関するデータと区画毎の後メタデータとの相関を確保することができる。
【００４４】
放送番組の区間毎の後メタデータは、例えば、毎日、毎週などの一定の周期で録画装置２００が後メタデータ配信サーバ４００に後メタデータのリクエストを自動的に送信することなどによって取得される。あるいは、放送番組の録画が完了した直後に、録画装置２００から後メタデータのリクエストが後メタデータ配信サーバ４００に送信されるようにしてもよい。後メタデータを取得する単位は、例えば、番組単位、チャンネル単位、全チャンネル単位のいずれであってもよい。ユーザが後メタデータを取得する周期、タイミング、単位を任意に設定できるものとしてもよい。後メタデータ配信サーバ４００の負荷を考慮して、録画したタイトルの区間再生選択画面を生成するときに後メタデータ配信サーバ４００にリクエストして後メタデータを取得してもよい。
【００４５】
［チャプター点の生成方法］
次に、本実施形態の録画装置２００によるチャプター点の生成方法を説明する。
チャプター生成部２２９は、データベース２３１に格納された特徴量をもとにチャプター点を例えば次のように生成する。
【００４６】
１．チャプター生成部２２９は、ビデオの特徴量の大きい変化点、つまりフレーム間の差分が閾値以上の変化点をチャプター点として生成する。チャプター点は分、秒、フレーム数で表される。
【００４７】
２．本編と本編との間に連続して挿入されている複数のＣＭを１つのＣＭ区間として生成したい場合、チャプター生成部２２９は、ビデオの特徴量の大きい変化点の間隔を、各々の変化点から前後に予め決められた時間（数分程度）を拡張した範囲にわたって確認する。チャプター生成部２２９は、上記の変化点が予め決められた別の時間（数十秒間隔）の範囲を超えて繰り返し発生する区間をＣＭ区間として判定し、このＣＭ区間において最初の変化点と最後の変化点をそれぞれチャプター点として生成する（例えば、図９のＣＭ区間の特徴量の変化を参照）。
【００４８】
３．チャプター生成部２２９は、セクションデータに含まれる放送番組のジャンル情報をもとに対象の放送番組が音楽番組であることを確認した場合には、ビデオの特徴量をもとにチャプター点を生成するモードから、オーディオの特徴量をもとにチャプター点を生成するモードに切り替える。このモードにおいて、チャプター生成部２２９は、音量レベルが徐々に上がる部分の開始点、もしくは音量レベルが徐々に下がり、略無音状態になった点をチャプター点として生成する。音楽番組においては、その他のジャンルの放送番組に比較してカットが短時間で切り替わる。このため、１つの楽曲途中に複数のチャプター点が生成される可能性が高い。オーディオの特徴量をもとにチャプター点を生成すれば、過剰にチャプター点が生成されることはない。すなわち、１つの楽曲の開始点と終了点のみにチャプター点が生成される可能性が高くなり、チャプター点の生成の精度が向上する。
【００４９】
なお、上記３の方法は、ビデオの特徴量をもとに生成された１以上のチャプター点を候補として、その中から、確からしいチャプター点を絞り込む方法として導入されてもよい。
以上が、チャプター点の生成方法の説明である。
【００５０】
［後メタデータによって与えられる区間の再生範囲を設定する動作］
次に、後メタデータによって与えられる区間の区間開始時間および区間終了時間に２つのチャプター点を再生開始位置および再生終了位置としてそれぞれ割り当てて、当該区間の再生範囲を設定する動作を説明する。
【００５１】
はじめに、この動作の意義を説明する。
特徴量をもとに生成されるチャプター点の時間的な精度は、人手により作成される後メタデータによって与えられる区間開始時間や区間終了時間のそれによりも十分に高い。一方、特徴量をもとに生成されるチャプター点は単なる時間情報であるのに対し、後メタデータは、それぞれの区間に対して、分類や詳細など、ユーザが区間の番組内容を認識することを助ける情報を有する。そこで、後メタデータによって与えられる区間の中からユーザに再生したい区間を選択させ、選択された区間について後メタデータにより与えられる区間開始時間と区間終了時間に対して、時間的な精度の高い２つのチャプター点を再生開始位置と再生終了位置として割り当てて、その選択された区間の再生を行うようにすることで、区間再生を指示する際のユーザの操作性の向上と、再生区間の精度の向上の両方を実現することが可能である。
【００５２】
次に、その詳細な動作を説明する。
ユーザは、録画装置２００に録画された放送番組を選択するとともに、その放送番組の再生区間選択画面の表示を指示する操作を例えばリモートコントローラ１３に対して行う。録画装置２００のリモコン受信部２０５はリモートコントローラ１３から送信されたリモート信号を受信する。このリモート信号は選択された放送番組の番組ＩＤを含む。リモコン受信部２０５は受信したリモート信号をＣＰＵ２０１が解釈可能な再生区間選択画面の提示命令に変換し、ＣＰＵ２０１に供給する。
【００５３】
ＣＰＵ２０１は再生区間選択画面の提示命令を受けると区間選択画面生成部２３３を作動させる。区間選択画面生成部２３３は、再生区間選択画面の提示命令に含まれる番組ＩＤをもとにデータベース２３１から当該放送番組の後メタデータを読み出す。区間選択画面生成部２３３は、読み出した後メタデータをもとに再生区間選択画面のデータを作成して出力処理部２２３に出力する。出力処理部２２３は、再生区間選択画面のデータからテレビジョン受像機１５にて表示可能な形式のビデオ信号を生成し、デジタルインタフェース２３７を通じて接続されたテレビジョン受像機１５に供給する。
【００５４】
図４は再生区間選択画面の例を示す図である。
再生区間選択画面２１には、区間リスト２２が表示される。区間リスト２２は、放送番組を構成する１以上の区間に対してそれぞれ、後メタデータにおける例えば分類あるいは詳細などの情報をもとに得られる区間名を与えて作成されたリストである。それぞれの区間は選択アイテムとして時間順に一定方向（図４では縦方向）に並べて配置される。ユーザはリモートコントローラ１３などの操作によって、区間リスト２２の中から再生したい区間名の区間を任意に選択することが可能である。
【００５５】
再生区間選択画面２１には、上記の区間リスト２２の他、放送日、放送局名、番組名、番組開始時間、番組終了時間など、セクションデータあるいは後メタデータから抽出された情報２３が表示される。さらに、再生区間選択画面２１には放送番組のサムネイル画像２４なども表示される。
【００５６】
この再生区間選択画面２１において、ユーザによるリモートコントローラ１３などの操作によって任意の区間が選択されると、録画装置２００のリモコン受信部２０５がリモートコントローラ１３から送信されたリモート信号を受信する。このリモート信号には、ユーザにより選択された区間の区間ＩＤが含まれる。リモコン受信部２０５は受信したリモート信号をＣＰＵ２０１が解釈可能な再生区間の選択情報に変換し、ＣＰＵ２０１に供給する。再生区間の選択情報はユーザにより選択された区間ＩＤを含む。
【００５７】
ＣＰＵ２０１は、再生区間の選択命令を受けると再生位置設定部２３５を作動させる。
図５は再生位置設定部２３５のアルゴリズムを示すフローチャートである。
ＣＰＵ２０１は、再生区間の選択情報を受け取ると再生位置設定部２３５を作動させる。再生位置設定部２３５は、既に与えられている番組ＩＤと、再生区間の選択情報に含まれる区間ＩＤをキーに、データベース２３１に保存された後メタデータを検索して該当する区間の区間開始時間と区間終了時間をそれぞれ取得する（ステップＳ１０１）。
【００５８】
次に、再生位置設定部２３５は、区間開始時間から前後にそれぞれ予め決められた時間（第１の時間）ずつ拡張した範囲に存在するチャプター点を探索する（ステップＳ１０２）。
ここで、チャプター点の探索範囲における区間開始時間からの前後それぞれの探索範囲の時間長（第１の時間）は同じでもよいが、図６に示すように、例えば、前の探索範囲の時間長を30秒、後の探索範囲の時間長を15秒とするなど、前の探索範囲の時間長を後の探索範囲の時間長よりも長くすることが好ましい。これは、途中から再生が開始されると区間の開始点に再生位置を戻す操作をユーザが強いられることになるからである。
【００５９】
チャプター点の探索範囲からチャプター点が検出されなかった場合（ステップＳ１０３のＮＯ）、再生位置設定部２３５は、区間開始時間の前後にそれぞれ予め決められた時間（第３の時間）ずつ拡張した範囲で特徴量の値が最大の点（チャプター点以外の点）を探索し、この点を再生開始時間として設定する。この際、再生位置設定部２３５は、もし区間開始時間の前後に同じ値の特徴量をもつ点がそれぞれ検出された場合には、前後の点のうち前の点を再生開始時間として設定する（ステップＳ１０４）。
【００６０】
ここで、特徴量の最大点の探索範囲における区間開始時間からの前後それぞれの探索範囲の時間長（第３の時間）は同じでもよいが、例えば、前の探索範囲の時間長を30秒、後の探索範囲の時間長を15秒とするなど、前の探索範囲の時間長を後の探索範囲の時間長よりも長くすることが好ましい。
【００６１】
なお、特徴量の最大点の探索範囲の長さは、チャプター点の探索範囲と同じもよいし、チャプター点の探索範囲より狭い、あるいは広くてもよい。
【００６２】
チャプター点の探索範囲からチャプター点が検出された場合（ステップＳ１０３のＹＥＳ）、再生位置設定部２３５は、区間開始時間に最も近いチャプター点を再生開始時間として設定する（ステップＳ１０５）。
より具体的には、次のルールに従って再生開始時間が設定される。
１．区間開始時間の前の探索範囲のみにチャプター点が存在した場合には、そのチャプター点を再生開始時間として設定する。
２．区間開始時間の後の探索範囲のみにチャプター点が存在した場合には、そのチャプター点を再生開始時間として設定する。
３．区間開始時間の前後の探索範囲にそれぞれチャプター点が存在する場合には、区間開始時間に近い方のチャプター点を再生開始時間として設定する。
４．区間開始時間の前後のチャプター点の区間開始時間からの長さが同じ場合には、区間開始時間の前のチャプター点を再生開始時間として設定する。
以上により、再生開始時間が設定される。
【００６３】
次に、再生位置設定部２３５は、後メタデータから与えられた区間終了時間から前後にそれぞれ予め決められた時間（第２の時間）ずつ拡張した範囲に存在するチャプター点を探索する（ステップＳ１０６）。
ここで、チャプター点の探索範囲における区間終了時間からの前後それぞれの探索範囲の時間長（第２の時間）は同一でもよいが、図７に示すように、例えば、前の探索範囲の時間長を15秒、後の探索範囲の時間長を30秒とするなど、後の探索範囲の時間長を前の探索範囲の時間長よりも長くすることが好ましい。これは、区間の途中で再生が終了される確率を抑えるためである。
【００６４】
チャプター点の探索範囲からチャプター点が検出されなかった場合（ステップＳ１０７のＮＯ）、再生位置設定部２３５は、区間終了時間から前後に予め決められた時間（第４の時間）ずつ拡張した範囲で特徴量の値が最大の点（チャプター点以外の点）を探索し、この点を再生終了時間として設定する。この際、再生位置設定部２３５は、もし区間終了時間の前後に同じ値の特徴量をもつ点がそれぞれ検出された場合には、前後の検出点のうち後の点を再生終了時間として設定する（ステップＳ１０８）。
【００６５】
ここで、特徴量の最大点の探索範囲における区間終了時間から前後それぞれの探索範囲の時間長（第４の時間）は同じでもよいが、例えば、前の探索範囲の時間長を15秒、後の探索範囲の時間長を30秒とするなど、前の探索範囲の時間長を後の探索範囲の時間長よりも短くすることが好ましい。
【００６６】
なお、この場合も、特徴量の最大点の探索範囲の長さは、チャプター点の探索範囲と同じもよいし、チャプター点の探索範囲より狭い、あるいは広くてもよい。
【００６７】
チャプター点の探索範囲からチャプター点が検出された場合（ステップＳ１０７のＹＥＳ）、再生位置設定部２３５は、区間終了時間に最も近いチャプター点を再生終了時間として設定する（ステップＳ１０９）。
より具体的には、次のルールに従って再生開始時間が設定される。
１．区間終了時間の前の探索範囲のみにチャプター点が存在した場合には、そのチャプター点を再生終了時間として設定する。
２．区間終了時間の後の探索範囲のみにチャプター点が存在した場合には、そのチャプター点を再生終了時間として設定する。
３．区間終了時間の前後の探索範囲にそれぞれチャプター点が存在する場合には、区間終了時間に近い方のチャプター点を再生終了時間として設定する。
４．区間終了時間の前後のチャプター点の区間終了時間からの長さが同じ場合には、区間終了時間の後のチャプター点を再生終了時間として設定する。
以上により、再生終了時間が設定される。
【００６８】
この後、再生位置設定部２３５によって設定された再生開始時間から再生終了時間までの範囲が、ユーザにより選択された区間の再生範囲として再生が行われる（ステップＳ１１０）。
【００６９】
［具体的な動作例１］
次に、後メタデータによって与えられる区間開始時間および区間終了時間に２つのチャプター点を再生開始位置および再生終了位置としてそれぞれ割り当てて再生範囲を設定する動作の具体例を説明する。
【００７０】
図８は後メタデータにより与えられる区間名および区間開始時間、チャプター点、および再生開始時間の関係を示す図である。
図９は後メタデータにより与えられる各区間の区間開始時間、特徴量、およびチャプター点の時間軸上での関係を示す図である。
【００７１】
原理上、後メタデータによって与えられる区間のすべてがチャプター点として生成される保証はない。そこで図６および図７の例では、"本編コーナ２"の区間の区間開始時間に対応するチャプター点が存在しない場合を示している。これは、例えば、"本編コーナ２"の区間の実際の開始時間に得られる特徴量がチャプター点の生成のための閾値に達していないことなどによって生じる。なお、"本編コーナ２"の区間の区間開始時間は直前の"本編コーナ１"の区間の区間終了時間と同じであり、他の区間も同様である。
【００７２】
なお、区間名は、後メタデータに記述された分野および詳細などの情報をもとに生成される名前であるが、説明の便宜上、図６および図７では"ＣＭ１"、"本編コーナ１"のように一般化された名前が代用されている。
【００７３】
図１０は"本編コーナ１"の区間の再生がユーザにより選択された場合の再生範囲の設定例を示す図である。
"本編コーナ１"の区間の区間開始時間は"2:00"である。この区間開始時間から前に30秒、後に15秒拡張した範囲に存在するチャプター点は"1:59:24"のみである。したがって、このチャプター点"1:59:24"が再生開始時間として設定される。
【００７４】
続いて、"本編コーナ１"の区間の再生終了時間を同様に設定する。この例では、"本編コーナ１"の区間の区間終了時間は次の"本編コーナ２"の区間の区間開始時間と同じであり、"5:16"である。この区間終了時間に対して前に15秒、後に30秒拡張した範囲にチャプター点は存在しない。そこで、再生位置設定部２３５は、区間終了時間"5:16"の前に15秒、後に30秒拡張した範囲で特徴量の値が最大の点を、データベース２３１に保存された特徴量と番組時間との対応データの中から探索し、この点を再生終了時間として設定する。図８では"5:13:20"が再生終了時間として判定された場合を示している。
【００７５】
［本実施形態の効果］
本実施形態によれば、次のような効果が得られる。
この録画装置２００では、後メタデータによって与えられる区間の中からユーザに再生したい区間を選択させ、選択された区間の開始時間および終了時間に対して、時間的な精度の高いチャプター点を割り当てることによって、選択された区間の再生範囲を設定する。これにより、再生する区間を選択する際のユーザの操作性の向上と、選択された区間の再生範囲の時間的精度の向上を図ることができる。
【００７６】
また、この録画装置２００では、選択された区間の区間開始時間に割り当てられるべきチャプター点が存在しない場合に、その区間開始時間から前後にそれぞれ予め決められた時間ずつ拡張した範囲で特徴量の最も高い点が再生開始時間として設定される。選択された区間の区間終了時間に対しても同様に、区間終了時間から前後にそれぞれ予め決められた時間ずつ拡張した範囲で特徴量の最も高い点が再生終了時間として設定される。これによりチャプター点の生成に漏れが発生している状況においても、選択された区間の区間開始時間および区間終了時間に対して再生開始時間および再生終了時間を良好に設定することができる。
【００７７】
＜変形例１＞
次に、上記の実施形態の変形例を説明する。
放送番組の区間毎の後メタデータは、区間情報、店舗情報、商品情報およびＣＭ情報の単位で構造化されていてもよい。
【００７８】
図１１は、本変形例の後メタデータによる各区間の区間情報、店舗情報、商品情報およびＣＭ情報の時間軸上での相関の例を示す図である。同図に示すように、放送番組における各区間には区間情報が定義され、その中の一部の区間情報に対して、店舗情報、商品情報およびＣＭ情報が選択的に紐付けられている。なお、図１１において、区間情報に対して時間軸上同じ位置に配置された情報が紐付けられた情報であることを示している。
【００７９】
図１２は本変形例に係る放送番組の本編区間の後メタデータの構成を示す図である。本編区間の後メタデータは、区間情報、店舗情報および商品情報で構成される。
【００８０】
区間情報は、放送日、放送局名、番組名、番組開始時間、番組終了時間、番組の分類、番組の見出し、番組の詳細、区間開始時間、区間終了時間、区間の分類、区間の詳細、番組ＩＤ、区間ＩＤなどを含む。なお、第１の実施形態の区間単位の後メタデータもこの区間情報と同様の構成を採ることができる。
【００８１】
店舗情報は、放送番組の本編に登場する店舗に関する情報である。店舗に関する情報としては、店舗の分類、店舗名、住所、そして区間情報との紐付けのための区間ＩＤなどで構成される。
【００８２】
商品情報は、本編に登場する商品に関する情報である。商品に関する情報としては、商品の分類、商品名、販売店名、電話・ＦＡＸ番号、ＵＲＬ（Uniform Resource Locator）、値段、ＩＳＢＮ（International Standard Book Number）、商品詳細、そして区間情報との紐付けのための区間ＩＤなどで構成される。
【００８３】
すなわち、区間情報に対して店舗情報および商品情報はそれぞれ区間ＩＤによって紐付けられる。
【００８４】
図１３は本変形例に係る放送番組のＣＭ区間の後メタデータの構成を示す図である。このようにＣＭ区間の後メタデータは、区間情報およびＣＭ情報で構成される。
【００８５】
区間情報の構成は前述した通りである。
ＣＭ情報は、個々のＣＭを対象とする情報である。ＣＭ情報は、放送日、放送局名、放送時間、商品分類、商品名、秒数、状況設定（ＣＭに登場する場所、アイテムなど）、タレント名、そして区間情報との紐付けのための区間ＩＤなどで構成される。すなわち、区間情報に対してＣＭ情報は区間ＩＤによって紐付けられる。
【００８６】
ＣＭ情報には、ＣＭ開始時間を示す放送時間と、ＣＭの長さを示す秒数の情報が含まれている。放送時間に秒数を加算した値がＣＭ終了時間となる。すなわち、ＣＭ情報はＣＭ開始時間とＣＭ終了時間の各情報を実質的に含む。１つのＣＭ区間に複数のＣＭが挿入される場合には、そのＣＭ区間の区間情報に、複数のＣＭのＣＭ情報が紐付けられる。
【００８７】
このように、本変形例の後メタデータによると、本編の区間の区間情報には、１以上の店舗情報および１以上の商品情報を紐付けることができ、ＣＭ区間の区間情報には、１以上のＣＭ情報を紐付けることができる。
【００８８】
このようにＣＭ毎のＣＭ開始時間とＣＭ終了時間が後メタデータによって与えられる場合、ＣＭ単位のＣＭ開始時間およびＣＭ終了時間に対し、特徴量から生成された２つのチャプター点を割り当てることによって、ユーザにより選択されたＣＭ単位の再生を高い時間的精度で行うことができる。
【００８９】
この場合、第１の実施形態のチャプター点の生成方法において採用されたＣＭ区間の判定ルールを排除し、ビデオの特徴量の大きい変化点をチャプター点として生成する。
【００９０】
本技術は、上述の図示例にのみ限定されるものではなく、本発明の要旨を逸脱しない範囲内において種々変更を加え得ることは勿論である。
【００９１】
本技術は以下のような構成も採ることができる。
（１）番組を録画する録画部と、
前記記録された番組の特徴量をもとに１以上のチャプター点を生成するチャプター生成部と、
前記番組を区切る区間毎の開始時間および終了時間の情報を含む、当該番組に関するメタデータを取得するメタデータ取得部と、
前記記録された番組において再生させたい区間が指定されたとき、前記取得したメタデータにより与えられる当該区間の開始時間および終了時間に対してそれぞれ異なる２つの前記チャプター点を割り当て、これら２つの前記チャプター点の間を前記指定された区間の再生範囲として設定する設定部と
を具備する情報処理装置。
【００９２】
（２）前記（１）に記載の情報処理装置であって、
前記設定部は、
前記指定された区間の開始時間から前後にそれぞれ予め決められた第１の時間ずつ拡張した範囲で最も近い第１のチャプター点を前記再生範囲の開始時間として設定し、前記指定された区間の終了時間から前後にそれぞれ予め決められた第２の時間ずつ拡張した範囲で最も近い第２のチャプター点を前記再生範囲の終了時間として設定する
情報処理装置。
【００９３】
（３）前記（２）に記載の情報処理装置であって、
前記指定された区間の開始時間から前の前記第１の時間が後の前記第１の時間よりも長く、前記指定された区間の終了時間から前の前記第２の時間が後の前記第２の時間よりも短い
情報処理装置。
【００９４】
（４）前記（２）または（３）に記載の情報処理装置であって、
前記設定部は、
前記指定された区間の開始時間から前後にそれぞれ予め決められた第１の時間ずつ拡張した範囲に前記第１のチャプター点が存在しない場合、前記区間の開始時間から前後にそれぞれ予め決められた第３の時間ずつ拡張した範囲で特徴量の値が最大の点を前記再生範囲の開始時間として設定し、前記指定された区間の終了時間から前後にそれぞれ予め決められた第２の時間ずつ拡張した範囲に前記第２のチャプター点が存在しない場合、前記区間の終了時間から前後にそれぞれ予め決められた第４の時間ずつ拡張した範囲で特徴量の値が最大の点を前記再生範囲の終了時間として設定する
情報処理装置。
【００９５】
（５）前記（４）に記載の情報処理装置であって、
前記指定された区間の開始時間から前の前記第３の時間が後の前記第３の時間よりも長く、前記指定された区間の終了時間から前の前記第４の時間が後の前記第４の時間よりも短い
情報処理装置。
【００９６】
（６）前記（１）から（５）のいずれかに記載の情報処理装置であって、
前記チャプター生成部は、少なくとも、前記番組に連続して複数の挿入されるコマーシャルを１つのＣＭ区間として、このＣＭ区間の開始点と終了点にそれぞれ前記チャプター点を生成する
情報処理装置。
【００９７】
（７）前記（１）から（６）のいずれかに記載の情報処理装置であって、
前記取得したメタデータをもとに、前記記録された番組において再生させたい区間をユーザに選択させるための選択画面を生成する区間選択画面生成部
をさらに具備する情報処理装置
【符号の説明】
【００９８】
１００…放送局
２００…録画装置
２０１…ＣＰＵ
２０３…ＲＯＭ
２０７…ネットワーク接続部
２０９…チューナ部
２１１…Ｄｅｍｕｘ
２１３…デコーダ
２１５…エンコーダ
２１７…ＨＤＤ
２２１…光ディスクドライブ
２２３…出力処理部
２２５…セクションデータ解析部
２２７…特徴量生成部
２２９…チャプター生成部
２３１…データベース
２３３…区間選択画面生成部
２３５…再生位置設定部
３００…メタデータ制作会社
４００…メタデータ配信サーバ
【図１】
2014078854.tif 000003
【図２】
2014078854.tif 000004
【図３】
2014078854.tif 000005
【図４】
2014078854.tif 000006
【図５】
2014078854.tif 000007
【図６】
2014078854.tif 000008
【図７】
2014078854.tif 000009
【図８】
2014078854.tif 000010
【図９】
2014078854.tif 000011
【図１０】
2014078854.tif 000012
【図１１】
2014078854.tif 000013
【図１２】
2014078854.tif 000014
【図１３】
2014078854.tif 000015